(57)【要約】      （修正有）【課題】通常の下着として着用することができ、失禁等により下着の取替えが必要となった場合は、ズボンを全部脱ぐことなく、容易に取替えることができる下着を提供する。【解決手段】下半身の臀部から腰回りを経て腹部の左右部を覆う後部１１１と、股部を覆う中間部１１２と、腹部の中央部を覆う前部１１３を備えるとともに、着用状態で臀部から腹部にかけて下半身を立体的に包み込む布製の本体部１１０と、本体部１１０の後部１１１上端に縫着され、左右端を腹部の前で互いに固定可能としてなる伸縮ベルト部１２０を備える。さらに、前記本体部１１０の前部１１３先端に、伸縮ベルト部１２０の装着状態で、腹部と伸縮ベルト部１２０の間から上側に引き出して前方へ折返し、かつ、折返し部を本体部１１０の前部１１３外面に固定可能としてなる折返し片１３０を備える。【選択図】図１
0003177780.tif 000002
【実用新案登録請求の範囲】
【請求項１】
下半身の臀部から腰回りを経て腹部の左右部を覆う後部と、股部を覆う中間部と、腹部の中央部を覆う前部を備えるとともに、着用状態で臀部から腹部にかけて下半身を立体的に包み込み可能な布製の本体部と、
当該本体部の後部上端に縫着され、左右端を腹部の前で互いに固定可能としてなる伸縮ベルト部を備え、
前記本体部の前部先端に、当該伸縮ベルト部の装着状態で、腹部と伸縮ベルト部の間から上側に引き出して前方へ折返し、かつ、折返し部を前記本体部の前部外面に固定可能としてなる折返し片を備えてなることを特徴とする下着。
【請求項２】
本体部の両側に後部から中間部を経て前部にかけて、および折返し部の周縁部に、それぞれ模様部が取り付けられていることを特徴とする請求項１記載の下着。
【請求項３】
本体部の中間部内面を中心にして吸水パットを装着可能であることを特徴とする請求項１または請求項２記載の下着。
【考案の詳細な説明】
【技術分野】
【０００１】
本考案は、特に高齢者や要介護者の着用に好適な下着に関するものである。
【背景技術】
【０００２】
高齢者になると、排尿機能の低下により、一日の排尿回数が増加したり、夜間に何度もトイレに立つことがある。排尿機能がさらに低下すると、トイレに向かう途中で失禁したり、トイレで衣服を脱ごうとして間に合わず、衣服やトイレを汚してしまうことがある。このような失敗は、高齢者の自尊心を傷つけ、買い物に出かけたり、散歩に出かけたい気持ちを自制させることになり、高齢者の充実した生活が損なわれることになる。そこで、かかる背景より、シニア向けや要介護者向けの下着が市販されている（吸水パンツやリハビリ用パンツなど）。
【０００３】
シニア向けの下着として、吸収性パッドをパンツ本体に縫着したもの、吸水パッドをポケット部に出し入れするようにしたパンツの例が提案されている（特許文献１、特許文献２参照）。
【先行技術文献】
【特許文献】
【０００４】
【特許文献１】特開２００４−１０５４８５号公報
【特許文献２】特開２０１２−９０９０２号公報
【考案の概要】
【考案が解決しようとする課題】
【０００５】
しかしながら、上記従来例の場合、パットの蒸れに弱い人（肌の弱い人）にとってパットは使い辛い問題がある。また、パットの長時間使用により下着が濡れた場合には、下着を取替えしなければならないが、ズボンを全部脱がなければならず、一人では下着の取替えに手間取ったり、不自由したりする場合がある。近年は男性に限らず女性もズボンを利用する機会が多く、また、冬季にあっては、その寒さからズボンを全部脱ぐのに抵抗を感じ、多少下着が濡れても下着を取替えずに済まそうとする場合が少なくない。下着を取替えない場合は風邪を引く原因になりかねない。
【０００６】
本考案は、上記課題に鑑みてなされたもので、通常の下着として着用することができ、失禁等により下着の取替えが必要となった場合は、ズボンを全部脱ぐことなく、容易に取替えることができる下着を提供することを目的とする。
【課題を解決するための手段】
【０００７】
上記課題を解決するために、本考案に係る下着は、
下半身の臀部から腰回りを経て腹部の左右部を覆う後部と、股部を覆う中間部と、腹部の中央部を覆う前部を備えるとともに、着用状態で臀部から腹部にかけて下半身を立体的に包み込み可能な布製の本体部と、
当該本体部の後部上端に縫着され、左右端を腹部の前で互いに固定可能としてなる伸縮ベルト部を備え、
前記本体部の前部先端に、当該伸縮ベルト部の装着状態で、腹部と伸縮ベルト部の間から上側に引き出して前方へ折返し、かつ、折返し部を前記本体部の前部外面に固定可能としてなる折返し片を備えたことを主要な特徴とする。
【０００８】
本考案に係る下着は、本体部の両側に後部から中間部を経て前部にかけて、および折返し部の周縁部に、それぞれ模様部が取り付けられていることを第２の特徴とする。
【０００９】
本考案に係る下着は、本体部の中間部内面を中心にして吸水パットを装着可能であることを第３の特徴とする。
【考案の効果】
【００１０】
以上説明したように、本考案に係る下着によると、着用状態で臀部から腹部にかけて下半身を立体的に包み込むことにより、通常は一般の下着と同様に着用し、失禁等により下着を濡らしたり汚したりした場合には、ズボンを全部脱ぐことなく、迅速かつ容易に下着を取替えることができるという優れた効果を奏する。
【００１１】
また、本考案に係る下着を着用し、外出時に予備を持参することにより、特に高齢者が安心して買い物に出掛けたり、散歩に出掛けたりすることができ、高齢者が健康的で快適な生活を送ることができるという優れた効果を奏する。
【００１２】
さらに、本考案に係る下着を着用することにより、要介護者にとっても下着の取替えを楽にかつ容易に行うことができ、介護者の負担も軽減されるという優れた効果を奏する。
【図面の簡単な説明】
【００１３】
【図１】本考案に係る下着を内面側から見た展開図、
【図２】本考案に係る下着を外面側から見た展開図、
【図３】（Ａ）（Ｂ）は図１に示す下着の着用方法を示す説明図、
【図４】本考案に係る下着を着用した状態を示す正面図、
【図５】本考案に係る下着を着用した状態を示す背面図、
【図６】図１に示す下着に装着可能な吸水パットの平面図である。
【考案を実施するための最良の形態】
【００１４】
以下、本考案の実施の形態を、図面を参照して説明する。
図１ないし図６は本考案の一実施形態を示すもので、図１において、符号１００は下着を示している。
【００１５】
下着１００は、図１ないし図５に示すように、本体部１００が下半身１の臀部２から腰回りを経て腹部３の左右部を覆う後部１１１と股部を覆う中間部１１２と腹部３の中央部を覆う前部１１３を備えている。この本体部１１０は布製からなり、下半身１の臀部２から腰回りを経て腹部３の左右部を覆う後部１１１から中間部１１２を経て腹部３の中央部を覆う前部１１３にかけて、下半身１を立体的に包み込む立体形状とされている。同本体部１１０は、綿、絹、レーヨン、合成繊維等の布製からなる。
【００１６】
本体部１１０の後部１１１は、図１に示すように下端から上端にかけて左右に次第に拡大する形状とされており、図３および図４に示すように、後部１１１の上端付近の左右の端部１１１Ａ，１１１Ａが腰回りを経て、前部１１３の外側から腹部３の左右を覆うようになっている。
【００１７】
本体部１１０の後部１１１の上端には、図１に示すように、左右に延びる伸縮ベルト部１２０が縫着されている。同伸縮ベルト部１２０は、左右の端部１２１，１２２を図３および図４に示すように腹部３の前で互いに固定することにより、腰部４に固定姿勢に装着できるようになっている。これにより、本体部１１０を下半身１の着用姿勢に保持できるようになっている。伸縮ベルト部１２０は、左右に伸縮可能な布製素材（例えばゴム入り）からなる。左右の端部１２１，１２２には、互いに着脱可能な面ファスナー１２３Ａ，１２３Ｂが縫着されている。面ファスナーの代わりに、フック部材が設けられても良い。
【００１８】
本体部１１０の前部１１３の先端には、折返し片１３０が縫着されている。折返し片１３０は、図３（Ａ）に示すように、伸縮ベルト部１２０を腰部４に装着した状態で、腹部３と伸縮ベルト部１２０の間から上側に引き出して、図３（Ｂ）に示すように、前方へ折返し、かつ、折返し部を前記本体部１１０の前部１１３外面に固定できるようになっている。折返し片１３０の内面の左右および本体部１１０の前部１１３外面の左右には互いに着脱可能な面ファスナー１３１Ａ，１３１Ｂが縫着されている。
【００１９】
本体部１１０には、後部１１１から中間部１１２を経て前部１１３にかけて左右両縁部、前部１１３の折返し片１３０の周縁部にフリル状の模様部１１４が縫着されている。したがって、本実施形態の下着１００は女性用として好適である。男性用として用いる場合は、模様部１１４を取り外してよい。
【００２０】
さらに、上記構成の下着１００においては、本体部１１０の中間部１１２内面から前部１１３内面にかけて図６に示す吸水パット１４０を装着できるようになっている。
【００２１】
次に、上記構成の下着１００について、その着用方法および作用について以下に説明する。
【００２２】
上記構成の下着１００を着用するには、まず最初に、図１に示す展開状態から、伸縮ベルト部１２０の左右の端部１２１，１２２を両手に持ち、本体部１１０を下半身１の後ろに回して、伸縮ベルト部１２０の左右の端部１２１，１２２を腰部４の位置から前に回し、腹部３の位置で一方の面ファスナー１２３Ａに他方の面ファスナー１２３Ｂを重ねて接合し、これにより伸縮ベルト部１２０を下半身１の腰部４に装着固定する。かかる状態で、本体部１１０の前部１１３を股部の間にくぐらせて前方に引き出す。
【００２３】
次に、本体部１１０の前部１１３を上に持ち上げて、同前部１１３の先端の折返し片１３０を、腹部３と伸縮ベルト部１２０の間から上に通し（図３（Ａ）参照）、伸縮ベルト部１２０の前方に折返す（図３Ｂ）参照）。最後に折返し片１３０の内面の面ファスナー１３１Ａ、１３１Ａを前部１１３外面の面ファスナー１３１Ｂ，１３１Ｂに接合し固定する。これにより、下着１００の着用が完了する。下着１００の着用状態では、図４および図５に示すように、下半身１の臀部２から腰回りを経て腹部３の左右部を後部１１１が覆い、股部を中間部１１２が覆い、腹部３の中央部を前部１１３が覆い、臀部２から腹部３にかけて下半身１を立体的に包み込む。これにより、通常一般の下着と同様に使用できる。
【００２４】
図６に示す吸水パット１４０を使用する場合、本体部１１０の中間部１１２内面を中心にして同吸水パット１４０を配置し、同配置状態で、本体部１１０の前部１１３を上に持ち上げて、同前部１１３の先端の折返し片１３０を、腹部３とその前方の伸縮ベルト部１２０の間を上に通し、伸縮ベルト部１２０の前方に折返すようにする。これにより、吸水パット１４０を本体部１１０の内面所定位置に装着することができる。
【００２５】
下着１００の着用後、着用者は、外出し、買い物や散歩を楽しむことができる。外出時等において、尿漏れ等によって下着１００を取替える必要が生じた場合、着用者は、トイレ等の個室において、ズボンを完全に脱ぐことなく、下着１００を取替えることができる。
【００２６】
すなわち、トイレ等の個室において、着用者は、便座または椅子に着座しながら、本体部１１０の折返し片１３０の面ファスナー１３１Ａを前部１１３の面ファスナー１３１Ｂから外し、ズボンを半分だけ下ろして、折返し片１３０および前部１１３を引き下げて股をくぐらせて後ろに引き出すか、あるいは、伸縮ベルト部１２０の左右端部１２１，１２２の面ファスナー１２３Ａ，１２３Ｂを互いに取り外し、股をくぐらせて前方に引き出して、使用中の下着１００を取り外す。着用者は、ズボンを完全に脱ぐ必要がないので、迅速にかつ容易に使用中の下着１００を取り外すことができる。
【００２７】
次に、予備としてバッグ等に収納していた新しい下着１００を前述の要領で、伸縮ベルト部１２０を腰部４に装着固定し、本体部１１０の前部１１３を後ろから股をくぐらせて前方に引き出し、伸縮ベルト部１２０と腹部３の間から折返し片１３０を上に引き出し、前方に折返して、前部１１３外面に固定する。着用者は、使用済み下着の取り外しから新しい下着の着用までの一連の作業を、ズボンを完全に脱ぐことなく、迅速にしかも楽に行うことができる。
【００２８】
以上のように構成された下着１００によれば、次のような効果を奏する。
【００２９】
（１）着用者は、ズボンを全部脱ぐことなく、他人の手を借りることも他人を煩わせることもなく、自分の手で下着を手軽に取替えることができる。
【００３０】
（２）着用者は、ズボンを全部脱ぐことなく自分で下着を取替えできるので、下着を取替えせずに済まそうとする気持ちが解消され、濡れた下着をいつまでも着用せずに済み、風邪をこじらせることもなくなる。
【００３１】
（３）着用者は、外出時に予備の下着を持参するだけで、安心して買い物に出掛けたり、散歩に出掛けたりすることができ、高齢者にとって健康的で快適な生活を送ることができるようになる。
【００３２】
（４）病院や自宅のベッドで療養したり、車イスで生活する等の要介護者にとっても下着を手軽に取替えることができるので、要介護者の気持ちが楽になり、介護者の負担も軽減される。
【００３３】
かくして、本考案によれば、通常の下着として着用することができ、失禁等により下着の取替えが必要となった場合は、ズボンを全部脱ぐことなく、容易に取替えできる下着を実現することができる。
【００３４】
なお、上記下着は、男性用・女性用に限らないが、特に女性用の場合、色・布素材・デザインに工夫を凝らし、見た目を美しく綺麗にすることが望ましい。
【産業上の利用可能性】
【００３５】
本考案に係る下着は、高齢者用または介護用の下着として特に利用可能である。
【符号の説明】
【００３６】
１  下半身
２  臀部
３  腹部
４  腰部
１００  下着
１１０  本体部
１１１  後部
１１１Ａ  後部の左右の端部
１１２  中間部
１１３  前部
１１４  模様部
１２０  伸縮ベルト部
１２１，１２２  端部
１２３Ａ，１２３Ｂ，１３１Ａ，１３１Ｂ  面ファスナー
１３０  折返し片
１４０  吸水パット
【図３】
0003177780.tif 000003
【図４】
0003177780.tif 000004
【図５】
0003177780.tif 000005
【図６】
0003177780.tif 000006
【図１】
0003177780.tif 000007
【図２】
0003177780.tif 000008